(57)【特許請求の範囲】
【請求項１】
建物壁における下支持手段及び上支持手段と、上部に開口を有して、下部で下支持手段に下部固定手段を介して固定された少なくとも一つの箱体と、この箱体に対して隙間をもって当該箱体内に配されており、上部で上支持手段に上部固定手段を介して固定されていると共に両側面が縦方向及び横方向に交差する方向において互いに対面している抵抗板と、箱体と当該箱体内に配された抵抗板との間の隙間に充填された粘性体とを具備しており、箱体は、横方向において互いに対向して配された一対の狭幅側壁板と、縦方向及び横方向に交差する方向において互いに対向して配された一対の幅広側壁板と、これら狭幅側壁板及び幅広側壁板の下端に固着されていると共に両側面が縦方向において互いに対面している底壁板とを一体的に具備しており、下部固定手段は、下支持手段の横方向の一方の側端の側端フランジプレートに固着されていると共に両側面が縦方向及び横方向に交差する方向において互いに対面している一方の下梁側ガセットプレートと、下支持手段の横方向の他方の側端の側端フランジプレートに固着されていると共に両側面が縦方向及び横方向に交差する方向において互いに対面している他方の下梁側ガセットプレートと、横方向の一方の最縁部に位置した箱体の狭幅側壁に固着されていると共に両側面が縦方向及び横方向に交差する方向において互いに対面している一方の箱体側ガセットプレートと、横方向の他方の最縁部に位置した箱体の狭幅側壁に固着されていると共に両側面が縦方向及び横方向に交差する方向において互いに対面している他方の箱体側ガセットプレートと、一方の下梁側ガセットプレートと一方の箱体側ガセットプレートとをその両側面から挟持した一方の側部スプライスプレートと、他方の下梁側ガセットプレートと他方の箱体側ガセットプレートとをその両側面から挟持した他方の側部スプライスプレートと、一方の下梁側ガセットプレート、箱体側ガセットプレート及び側部スプライスプレートを共締めした一方の高力ボルトと、他方の下梁側ガセットプレート、箱体側ガセットプレート及び側部スプライスプレートを共締めした他方の高力ボルトとを具備しており、下支持手段は、両側面が縦方向において互いに対面している上端フランジプレートを具備しており、箱体の底壁板は、下支持手段の上端フランジプレートに重ね合わされており、下部固定手段は、箱体の底壁板と下支持手段の上端フランジプレートとを共締めした高力ボルトを具備しており、上支持手段は、下端フランジプレートを具備しており、上部固定手段は、上支持手段の下端フランジプレートに固着されていると共に両側面が縦方向及び横方向に交差する方向において互いに対面している上梁側ガセットプレートと、この上梁側ガセットプレートと抵抗板の上部とをその両側面側から挟持した上部スプライスプレートと、上梁側ガセットプレート及び上部スプライスプレートを共締めした高力ボルトとを具備している制震壁。
【請求項２】
一方及び他方の下梁側ガセットプレートと一方及び他方の箱体側ガセットプレートとは、その互いに対面する上部及び下部縁部に、箱体の底壁板と下支持手段の上端との重ね合わせ面近傍に空間を形成すべく、切欠きを具備している請求項１に記載の制震壁。
【請求項３】
下支持手段は、下大梁と、この下大梁に固着された嵩上げ金物板とを具備しており、両側端フランジプレートの夫々は、嵩上げ金物板に固着されている請求項１又は２に記載の制震壁。
【請求項４】
一方及び他方の下梁側ガセットプレート及び箱体側ガセットプレートのうちの少なくとも一つのガセットプレートにおいて、高力ボルトが挿通されるその貫通孔は、当該ガセットプレートに対してこれに共締めされるスプライスプレートを位置決め調節できるように、高力ボルトに対して若干クリアランスをもった径を有して形成されている請求項１から３のいずれか一項に記載の制震壁。
【請求項５】
前記の箱体、抵抗板及び粘性体の組を横方向に並置して複数個具備しており、隣接する箱体同士は、連結手段により相互に連結されている請求項１から４のいずれか一項に記載の制震壁。
【請求項６】
連結手段は、隣接する箱体の対面する狭幅側壁板に夫々固着された連結ガセットプレートと、この連結ガセットプレートをその両側面から挟持した連結スプライスプレートと、これら連結ガセットプレート及び連結スプライスプレートを共締めした高力ボルトとを具備している請求項５に記載の制震壁。
【請求項７】
連結ガセットプレートにおいて、高力ボルトが挿通されるその貫通孔は、当該連結ガセットプレートに対してこれに共締めされる連結スプライスプレートを位置決め調節できるように、高力ボルトに対して若干クリアランスをもった径を有して形成されている請求項６に記載の制震壁。
【請求項８】
連結手段は、隣接する箱体間において少なくともその二個が縦方向に並置されて配されている請求項５から７のいずれか一項に記載の制震壁。
【請求項９】
建物壁における下支持手段及び上支持手段と、上部に開口を有して、下部で下支持手段に下部固定手段を介して固定された少なくとも一つの箱体と、この箱体に対して隙間をもって当該箱体内に配されており、上部で上支持手段に上部固定手段を介して固定されていると共に両側面が縦方向及び横方向に交差する方向において互いに対面している抵抗板と、箱体と当該箱体内に配された抵抗板との間の隙間に充填された粘性体とを具備しており、箱体は、横方向において互いに対向して配された一対の狭幅側壁板と、縦方向及び横方向に交差する方向において互いに対向して配された一対の幅広側壁板と、これら狭幅側壁板及び幅広側壁板の下端に固着されていると共に両側面が縦方向において互いに対面している底壁板とを一体的に具備しており、上部固定手段は、上支持手段の横方向の一方の側端の側端フランジプレートに固着されていると共に両側面が縦方向及び横方向に交差する方向において互いに対面している一方の上梁側ガセットプレートと、上支持手段の横方向の他方の側端の側端フランジプレートに固着されていると共に両側面が縦方向及び横方向に交差する方向において互いに対面している他方の上梁側ガセットプレートと、横方向の一方の最縁部に位置した抵抗板の側端フランジプレートに固着されていると共に両側面が縦方向及び横方向に交差する方向において互いに対面している一方の抵抗板側ガセットプレートと、横方向の他方の最縁部に位置した抵抗板の側端フランジプレートに固着されていると共に両側面が縦方向及び横方向に交差する方向において互いに対面している他方の抵抗板側ガセットプレートと、一方の上梁側ガセットプレートと一方の抵抗板側ガセットプレートとをその両側面から挟持した一方の側部スプライスプレートと、他方の上梁側ガセットプレートと他方の抵抗板側ガセットプレートとをその両側面から挟持した他方の側部スプライスプレートと、一方の上梁側ガセットプレート、抵抗板側ガセットプレート及び側部スプライスプレートを共締めした一方の高力ボルトと、他方の上梁側ガセットプレート、抵抗板側ガセットプレート及び側部スプライスプレートを共締めした他方の高力ボルトとを具備しており、上支持手段は、両側面が縦方向において互いに対面している下端フランジプレートを具備しており、抵抗板は、両側面が縦方向において互いに対面している上端フランジプレートを具備しており、抵抗板の上端フランジプレートは、上支持手段の下端フランジプレートに重ね合わされており、上部固定手段は、抵抗板の上端フランジプレートと上支持手段の下端フランジプレートとを共締めした高力ボルトを具備しており、下部固定手段は、下支持手段の上端フランジプレートに固着されていると共に両側面が縦方向及び横方向に交差する方向において互いに対面している下梁側ガセットプレートと、箱体の底壁板に固着されていると共に両側面が縦方向及び横方向に交差する方向において互いに対面している箱体側ガセットプレートと、この箱体側ガセットプレートと下梁側ガセットプレートとをその両側面から挟持した下部スプライスプレートと、箱体側ガセットプレート、下梁側ガセットプレート及び下部スプライスプレートを共締めした高力ボルトとを具備している制震壁。
【請求項１０】
一方及び他方の上梁側ガセットプレートと一方及び他方の抵抗板側ガセットプレートとは、その互いに対面する下部及び上部縁部に、協同して空間を形成すべく、切欠きを具備している請求項９に記載の制震壁。
【請求項１１】
上支持手段は、上大梁と、この上大梁に固着された嵩下げ金物板とを具備しており、上支持手段の下端フランジプレート及び両側端フランジプレートの夫々は、嵩下げ金物板に固着されている請求項９又は１０に記載の制震壁。
【請求項１２】
一方及び他方の上梁側ガセットプレート及び抵抗板側ガセットプレートのうちの少なくとも一つのガセットプレートにおいて、高力ボルトが挿通されるその貫通孔は、当該ガセットプレートに対してこれに共締めされるスプライスプレートを位置決め調節できるように、高力ボルトに対して若干クリアランスをもった径を有して形成されている請求項９から１１のいずれか一項に記載の制震壁。
【請求項１３】
前記の箱体、抵抗板及び粘性体の組を横方向に並置して複数個具備しており、隣接する抵抗板同士は、連結手段により相互に連結されている請求項９から１２のいずれか一項に記載の制震壁。
【請求項１４】
連結手段は、隣接する抵抗板の対面する側端フランジプレートに夫々固着された連結ガセットプレートと、この連結ガセットプレートをその両側面から挟持した連結スプライスプレートと、これら連結ガセットプレート及び連結スプライスプレートを共締めした高力ボルトとを具備している請求項１３に記載の制震壁。
【請求項１５】
連結ガセットプレートにおいて、高力ボルトが挿通されるその貫通孔は、当該連結ガセットプレートに対してこれに共締めされる連結スプライスプレートを位置決め調節できるように、高力ボルトに対して若干クリアランスをもった径を有して形成されている請求項１４に記載の制震壁。
【発明の詳細な説明】
【０００１】
【発明の属する技術分野】
本発明は、事務所用のビル、集合住宅、戸建住宅の建物の壁、特にこれらの建物に加わる地震等の振動を減衰させる制震壁に関する。
【０００２】
【発明が解決しようとする課題】
制震壁として、下梁及び上梁と、上部に開口を有して、下部で下梁に固定された箱体と、この箱体に対して隙間をもって当該箱体内に配されており、上部で上梁に固定された抵抗板と、箱体と当該各箱体内に配された抵抗板との間の隙間に充填された粘性体とを具備し、地震等の振動に際して、下梁に対する上梁の相対的水平変位に基づく箱体と抵抗板との間の同じく相対的水平変位において箱体内に収容された粘性体に粘性剪断を生じさせて、この粘性剪断による減衰力により地震等の振動を減衰させるものが提案されている。
【０００３】
斯かる制震壁においては、箱体及び抵抗板を夫々下梁及び上梁に固定する必要があるが、この固定手段としては、特開平１０−４６８６５号公報に記載されているようなものがあるが、この公報に記載の固定手段によれば、箱体又は箱体及び抵抗板からなる組み合わせ体を自立構造とすることが困難であり、これらの運搬、保管、設置作業における取り扱いが面倒となる上に、安全性に特別の配慮が必要となる虞がある。
【０００４】
また、地震等に起因する箱体と抵抗板との間の相対的水平変位においては、箱体及び抵抗板には大きな水平力と曲げモーメントとが加わることになるが、公報に記載の固定手段では、この水平力と曲げモーメントとに基づく剪断力と引っ張り力とに耐え得るために、多数のボルトと、相当の厚みの固定用の鋼板とを用いなければならず、作業工数の増大とコストアップを招来する虞がある。
【０００５】
加えて、箱体及び抵抗板からなる組み合わせ体を複数個並設してこれらのうちの隣接する箱体又は抵抗板を互いに相互に連結する場合には、公報に記載の固定手段では、これに容易に直ちに対処できず、他の連結手段を新たに必要として、多くの部品を準備する必要があり、これによっても、作業工数の増大とコストアップを招来する虞がある。
【０００６】
本発明は、前記諸点に鑑みてなされたものであって、その目的とするところは、十分な耐力をもって箱体又は抵抗板を下梁又は上梁に固定でき、作業工数の低減とコストダウンを図り得、しかも、箱体及び抵抗板からなる組み合わせ体を下梁及び上梁間に複数個並設する際にも、これらのうちの隣接する箱体又は抵抗板を互いに相互に簡単に強固に連結できる制震壁を提供することにある。
【０００７】
本発明の第一の態様の制震壁は、建物壁における下支持手段及び上支持手段と、上部に開口を有して、下部で下支持手段に下部固定手段を介して固定された少なくとも一つの箱体と、この箱体に対して隙間をもって当該箱体内に配されており、上部で上支持手段に上部固定手段を介して固定されていると共に両側面が縦方向及び横方向に交差する方向において互いに対面している抵抗板と、箱体と当該箱体内に配された抵抗板との間の隙間に充填された粘性体とを具備しており、箱体は、横方向において互いに対向して配された一対の狭幅側壁板と、縦方向及び横方向に交差する方向において互いに対向して配された一対の幅広側壁板と、これら狭幅側壁板及び幅広側壁板の下端に固着されていると共に両側面が縦方向において互いに対面している底壁板とを一体的に具備しており、下部固定手段は、下支持手段の横方向の一方の側端の側端フランジプレートに固着されていると共に両側面が縦方向及び横方向に交差する方向において互いに対面している一方の下梁側ガセットプレートと、下支持手段の横方向の他方の側端の側端フランジプレートに固着されていると共に両側面が縦方向及び横方向に交差する方向において互いに対面している他方の下梁側ガセットプレートと、横方向の一方の最縁部に位置した箱体の狭幅側壁に固着されていると共に両側面が縦方向及び横方向に交差する方向において互いに対面している一方の箱体側ガセットプレートと、横方向の他方の最縁部に位置した箱体の狭幅側壁に固着されていると共に両側面が縦方向及び横方向に交差する方向において互いに対面している他方の箱体側ガセットプレートと、一方の下梁側ガセットプレートと一方の箱体側ガセットプレートとをその両側面から挟持した一方の側部スプライスプレートと、他方の下梁側ガセットプレートと他方の箱体側ガセットプレートとをその両側面から挟持した他方の側部スプライスプレートと、一方の下梁側ガセットプレート、箱体側ガセットプレート及び側部スプライスプレートを共締めした一方の高力ボルトと、他方の下梁側ガセットプレート、箱体側ガセットプレート及び側部スプライスプレートを共締めした他方の高力ボルトとを具備しており、下支持手段は、両側面が縦方向において互いに対面している上端フランジプレートを具備しており、箱体の底壁板は、下支持手段の上端フランジプレートに重ね合わされており、下部固定手段は、箱体の底壁板と下支持手段の上端フランジプレートとを共締めした高力ボルトを具備しており、上支持手段は、下端フランジプレートを具備しており、上部固定手段は、上支持手段の下端フランジプレートに固着されていると共に両側面が縦方向及び横方向に交差する方向において互いに対面している上梁側ガセットプレートと、この上梁側ガセットプレートと抵抗板の上部とをその両側面側から挟持した上部スプライスプレートと、上梁側ガセットプレート及び上部スプライスプレートを共締めした高力ボルトとを具備している。
【０００８】
第一の態様の制震壁によれば、一方の下梁側ガセットプレートと側部スプライスプレートとを、また一方の箱体側ガセットプレートと側部スプライスプレートとを、夫々高力ボルトにより二面摩擦接合させ、同じく、他方の下梁側ガセットプレートと側部スプライスプレートとを、また他方の箱体側ガセットプレートと側部スプライスプレートとを、夫々高力ボルトにより二面摩擦接合させ、しかも、箱体の横方向の両最縁部で当該箱体を下部固定手段に固定しているために、高力ボルトに加わる剪断力を低減でき、地震等に際する箱体と抵抗板との間の相対的水平変位において、箱体及び抵抗板に大きな水平力と曲げモーメントとが加わっても、それに基づく剪断力と引っ張り力とに十分耐えることができ、而して、高力ボルトの個数を削減できる上に、ガセットプレート並びにスプライスプレートにそれほど厚肉の鋼板を用いる必要がなく、大幅な作業工数の低減及びコストダウンを図ることができる。第一の態様の制震壁によれば、箱体の底壁板と支持手段の上端フランジプレートとが高力ボルトにより互いに一面摩擦接合をもって固着されているために、箱体の支持手段への固定を更に強固なものとできる。第一の態様の制震壁によれば、抵抗板の上部を上梁側ガセットプレートと一対の上部スプライスプレートとにより二面摩擦接合をもって固定できるために、抵抗板を上部支持手段にしっかりと固定できる。
【０００９】
本発明の第二の態様の制震壁では、第一の態様の制震壁において、一方及び他方の下梁側ガセットプレートと一方及び他方の箱体側ガセットプレートとは、その互いに対面する上部及び下部縁部に、箱体の底壁板と下支持手段の上端との重ね合わせ面近傍に空間を形成すべく、切欠きを具備している。
【００１０】
第二の態様の制震壁によれば、一方及び他方の下梁側ガセットプレートと同じく一方及び他方の箱体側ガセットプレートとが切欠きを具備しているために、底壁板及び下支持手段の上端の横方向外側への多少の突出を許容でき、また、支持手段の上端への箱体の載置後に、底壁板と下支持手段の上端との重ね合わせ面が多少横方向に突出しても、この突出を許容でき、更に、当該載置後に、切欠きによって形成される空間を利用して、重ね合わせ面に溶接を施すことができ、而して、底壁板と下支持手段の上端とを、高力ボルトに加えて、この溶接によっても相互にしっかりと固着できるようになる。
【００１３】
本発明の第三の態様の制震壁では、第一又は第二の態様のいずれかの制震壁において、下支持手段は、下大梁と、この下大梁に固着された嵩上げ金物板とを具備しており、両側端フランジプレートの夫々は、嵩上げ金物板に固着されている。
【００１４】
第三の態様の制震壁によれば、嵩上げ金物板を介して箱体を下大梁に固定できるために、下大梁にボルト孔等を穿孔して、下大梁の強度を劣化させることがなく、しかも、箱体の取り替えの際には、容易にその作業を行い得る。
【００１５】
本発明の第四の態様の制震壁では、第一から第三の態様のいずれかの制震壁において、一方及び他方の下梁側ガセットプレート及び箱体側ガセットプレートのうちの少なくとも一つのガセットプレートにおいて、高力ボルトが挿通されるその貫通孔は、当該ガセットプレートに対してこれに共締めされるスプライスプレートを位置決め調節できるように、高力ボルトに対して若干クリアランスをもった径を有して形成されている。
【００１６】
第四の態様の制震壁によれば、ガセットプレートにおいて高力ボルトが挿通されるその貫通孔が、当該高力ボルトに対して若干クリアランスをもった径を有して形成されているので、ガセットプレートに対してこれに共締めされるスプライスプレートを位置決め調節でき、而して、製作誤差などを吸収して、ガセットプレートとスプライスプレートとを設置作業中に問題なしに共締めすることができる。
【００１９】
本発明の第五の態様の制震壁では、第一から第四の態様のいずれかの制震壁において、前記の箱体、抵抗板及び粘性体の組を横方向に並置して複数個具備しており、隣接する箱体同士は、連結手段により相互に連結されている。
【００２０】
第五の態様の制震壁によれば、箱体、抵抗板及び粘性体の組を複数個具備するために、制震効果が増大し、しかも、夫々が連結手段により相互に連結されているために、これらをしっかりと上下支持手段間に固定できる。
【００２１】
本発明の第六の態様の制震壁では、第五の態様の制震壁において、連結手段は、隣接する箱体の対面する狭幅側壁板に夫々固着された連結ガセットプレートと、この連結ガセットプレートをその両側面から挟持した連結スプライスプレートと、これら連結ガセットプレート及び連結スプライスプレートを共締めした高力ボルトとを具備している。
【００２２】
第六の態様の制震壁によれば、連結ガセットプレートと一対の連結スプライスプレートとを二面摩擦接合により固定しているために、箱体相互の連結が強固となる。
【００２３】
本発明の第七の態様の制震壁では、第六の態様の制震壁において、連結ガセットプレートにおいて、高力ボルトが挿通されるその貫通孔は、当該連結ガセットプレートに対してこれに共締めされる連結スプライスプレートを位置決め調節できるように、高力ボルトに対して若干クリアランスをもった径を有して形成されている。
【００２４】
第七の態様の制震壁によれば、連結ガセットプレートにおいて高力ボルトが挿通されるその貫通孔が、当該高力ボルトに対して若干クリアランスをもった径を有して形成されているので、連結ガセットプレートに対してこれに共締めされる連結スプライスプレートを位置決め調節でき、而して、製作誤差などを吸収して、連結ガセットプレートと連結スプライスプレートとを連結作業中に問題なしに共締めすることができる。
【００２５】
本発明の第八の態様の制震壁では、第五から第七の態様のいずれかの制震壁において、連結手段は、隣接する箱体間において少なくともその二個が縦方向に並置されて配されている。
【００２６】
第八の態様の制震壁によれば、連結手段を箱体間に複数個併置するために、箱体同士の連結を更に強固なものとでき、而して、箱体を下支持手段にしっかりと固定できる。
【００２７】
本発明の第九の態様の制震壁は、建物壁における下支持手段及び上支持手段と、上部に開口を有して、下部で下支持手段に下部固定手段を介して固定された少なくとも一つの箱体と、この箱体に対して隙間をもって当該箱体内に配されており、上部で上支持手段に上部固定手段を介して固定されていると共に両側面が縦方向及び横方向に交差する方向において互いに対面している抵抗板と、箱体と当該箱体内に配された抵抗板との間の隙間に充填された粘性体とを具備しており、箱体は、横方向において互いに対向して配された一対の狭幅側壁板と、縦方向及び横方向に交差する方向において互いに対向して配された一対の幅広側壁板と、これら狭幅側壁板及び幅広側壁板の下端に固着されていると共に両側面が縦方向において互いに対面している底壁板とを一体的に具備しており、上部固定手段は、上支持手段の横方向の一方の側端の側端フランジプレートに固着されていると共に両側面が縦方向及び横方向に交差する方向において互いに対面している一方の上梁側ガセットプレートと、上支持手段の横方向の他方の側端の側端フランジプレートに固着されていると共に両側面が縦方向及び横方向に交差する方向において互いに対面している他方の上梁側ガセットプレートと、横方向の一方の最縁部に位置した抵抗板の側端フランジプレートに固着されていると共に両側面が縦方向及び横方向に交差する方向において互いに対面している一方の抵抗板側ガセットプレートと、横方向の他方の最縁部に位置した抵抗板の側端フランジプレートに固着されていると共に両側面が縦方向及び横方向に交差する方向において互いに対面している他方の抵抗板側ガセットプレートと、一方の上梁側ガセットプレートと一方の抵抗板側ガセットプレートとをその両側面から挟持した一方の側部スプライスプレートと、他方の上梁側ガセットプレートと他方の抵抗板側ガセットプレートとをその両側面から挟持した他方の側部スプライスプレートと、一方の上梁側ガセットプレート、抵抗板側ガセットプレート及び側部スプライスプレートを共締めした一方の高力ボルトと、他方の上梁側ガセットプレート、抵抗板側ガセットプレート及び側部スプライスプレートを共締めした他方の高力ボルトとを具備しており、上支持手段は、両側面が縦方向において互いに対面している下端フランジプレートを具備しており、抵抗板は、両側面が縦方向において互いに対面している上端フランジプレートを具備しており、抵抗板の上端フランジプレートは、上支持手段の下端フランジプレートに重ね合わされており、上部固定手段は、抵抗板の上端フランジプレートと上支持手段の下端フランジプレートとを共締めした高力ボルトを具備しており、下部固定手段は、下支持手段の上端フランジプレートに固着されていると共に両側面が縦方向及び横方向に交差する方向において互いに対面している下梁側ガセットプレートと、箱体の底壁板に固着されていると共に両側面が縦方向及び横方向に交差する方向において互いに対面している箱体側ガセットプレートと、この箱体側ガセットプレートと下梁側ガセットプレートとをその両側面から挟持した下部スプライスプレートと、箱体側ガセットプレート、下梁側ガセットプレート及び下部スプライスプレートを共締めした高力ボルトとを具備している。
【００２８】
本発明の第十の態様の制震壁では、第九の制震壁において、一方及び他方の上梁側ガセットプレートと一方及び他方の抵抗板側ガセットプレートとは、その互いに対面する下部及び上部縁部に、協同して空間を形成すべく、切欠きを具備している。
【００３０】
本発明の第十一の態様の制震壁では、第九又は第十の制震壁において、上支持手段は、上大梁と、この上大梁に固着された嵩下げ金物板とを具備しており、上支持手段の下端フランジプレート及び両側端フランジプレートの夫々は、嵩下げ金物板に固着されている。
【００３１】
本発明の第十二の態様の制震壁では、第九から第十一の態様のいずれかの制震壁において、一方及び他方の上梁側ガセットプレート及び抵抗板側ガセットプレートのうちの少なくとも一つのガセットプレートにおいて、高力ボルトが挿通されるその貫通孔は、当該ガセットプレートに対してこれに共締めされるスプライスプレートを位置決め調節できるように、高力ボルトに対して若干クリアランスをもった径を有して形成されている。
【００３３】
本発明の第十三の態様の制震壁では、第九から第十二の態様のいずれかの制震壁において、前記の箱体、抵抗板及び粘性体の組を横方向に並置して複数個具備しており、隣接する抵抗板同士は、連結手段により相互に連結されている。
【００３４】
本発明の第十四の態様の制震壁では、第十三の態様の制震壁において、連結手段は、隣接する抵抗板の対面する側端フランジプレートに夫々固着された連結ガセットプレートと、この連結ガセットプレートをその両側面から挟持した連結スプライスプレートと、これら連結ガセットプレート及び連結スプライスプレートを共締めした高力ボルトとを具備している。
【００３５】
本発明の第十五の態様の制震壁では、第十四の態様の制震壁において、連結ガセットプレートにおいて、高力ボルトが挿通されるその貫通孔は、当該連結ガセットプレートに対してこれに共締めされる連結スプライスプレートを位置決め調節できるように、高力ボルトに対して若干クリアランスをもった径を有して形成されている。
【００３６】
以上の第九から第十五の態様の制震壁は、抵抗板に関して、先に述べた第一から第八の制震壁と同等の効果を得ることができる。
【００３７】
本発明の制震壁を適用し得る建物として、事務所用のビル、集合住宅、戸建住宅を好ましい例として挙げることができるが、特にこれに限定されない。
【００３８】
【発明の実施の形態】
次に本発明の実施の形態を、図に示す好ましい例に基づいて更に詳細に説明する。なお、本発明はこれら実施例に何等限定されないのである。
【００３９】
図１から図１１において、本例の制震壁１は、建物の一対の柱２及び３間に形成されており、建物壁における下支持手段４及び上支持手段５と、上部に開口６を有して、下部で下支持手段４に下部固定手段７を介して固定された箱体８と、箱体８に対して隙間９をもって当該箱体８内に配されており、上部で上支持手段５に上部固定手段１０を介して固定された抵抗板１１と、箱体８と当該箱体８内に配された抵抗板１１との間の隙間に充填された粘性体１２とを具備している。
【００４０】
箱体８は、互いに対向して配された一対の狭幅側壁板１５及び１６と、狭幅側壁板１５及び１６を橋絡して当該狭幅側壁板１５及び１６に溶接固着されており、互いに対向して配された一対の幅広側壁板１７及び１８と、狭幅側壁板１５及び１６を橋絡して、当該狭幅側壁板１５及び１６並びに幅広側壁板１７及び１８の上端に溶接固着されたＬ型鋼からなる開口形成部材１９及び２０と、これら狭幅側壁板１５及び１６並びに幅広側壁板１７及び１８の下端に溶接固着された底壁板２１と、狭幅側壁板１５及び１６を橋絡し、狭幅側壁板１５及び１６並びに幅広側壁板１７及び１８に溶接固着され、縦方向に所定間隔をもって配されて、当該幅広側壁板１７及び１８の夫々を補強したＵ型鋼からなる複数の補強部材２２と、幅広側壁板１７及び１８間の所定間隔を保持する複数の間隔保持手段２３と、底壁板２１並びに幅広側壁板１７及び１８に溶接固着されて、横方向に所定間隔をもって配された複数の補強リブ２４とを一体的に具備している。
【００４１】
箱体８は、その底壁板２１が下支持手段４の上端としての後述の上端フランジプレート２５に重ね合わされ、しかも、複数の高力ボルト２６により当該上端フランジプレート２５に固着されて、下支持手段４と上支持手段５との間に配されている。
【００４２】
間隔保持手段２３の夫々は、特に図８に詳細に示すように、幅広側壁板１７及び１８を貫通したボルト３１と、ボルト３１に螺着されたナット３２と、ボルト３１が挿通されて幅広側壁板１７と１８との間に配された円筒カラー３３とを具備しており、円筒カラー３３によって幅広側壁板１７及び１８間の所定間隔を保持するようになっている。
【００４３】
抵抗板１１は、幅広の抵抗板本体３５と、抵抗板本体３５の箱体８外に位置した上部側縁に溶接固着されたフランジ片３６及び３７と、箱体８の幅広側壁板１７及び１８に対して所定の隙間９を保持する複数個の隙間保持手段３８とを具備しており、幅広側壁板１７及び１８に対して抵抗板本体３５が相対的に移動できるように、円筒カラー３３の夫々を取り囲んで抵抗板本体３５には、楕円形の貫通孔３４が穿孔されている。
【００４４】
隙間保持手段３８の夫々は、特に図９に示すように、抵抗板本体３５を貫通して当該抵抗板本体３５に取り付けられた両鍔３９及び４０付き隙間保持部材４１からなり、隙間保持部材４１は、鍔３９及び４０において幅広側壁板１７及び１８に摺動自在に接触して、抵抗板本体３５と幅広側壁板１７及び１８との間の隙間９を保持している。
【００４５】
箱体８又は箱体８及び抵抗板１１からなる組み合わせ体４５では、特に図１１に示すように、箱体８が底壁板２１を具備して形成されているために自立構造となり、これらの運搬、保管、設置作業における取り扱いが容易となり、安全性に極めてすぐれたものとなる。
【００４６】
下支持手段４は、本例では、補強リブ５１が溶接固着されたＨ型鋼からなり、建物の所定階の床側の下大梁５２と、下大梁５２上に配された嵩上げ金物５３とを具備しており、嵩上げ金物５３は、下大梁５２の上部のフランジ部５４に溶接固着された嵩上げ金物板５５と、嵩上げ金物板５５の上縁に溶接固着された上端フランジプレート２５と、嵩上げ金物板５５の両側端に溶接固着された側端フランジプレート５６及び５７と、上端フランジプレート２５、嵩上げ金物板５５及びフランジ部５４に溶接固着された補強リブ５８とを具備している。
【００４７】
下支持手段４において嵩上げ金物５３を具備していると、下大梁５２にボルト孔等を穿孔して、下大梁５２の強度を劣化させることがなく、しかも、箱体８の取り替えの際には、容易にその作業を行い得るので、好ましいが、このような嵩上げ金物５３を具備しないで、下大梁５２のみをもって下支持手段４を構成してもよい。
【００４８】
上支持手段５は、補強リブ６１が溶接固着されたＨ型鋼からなり、建物の所定階の天井側の上大梁６２を具備しており、上大梁６２は、下端フランジプレートとしての下部のフランジ部６３を有している。
【００４９】
下部固定手段７は、下支持手段４の横方向の一方の側端の側端フランジプレート５６に溶接固着された一方の下梁側ガセットプレート７１と、下支持手段４の横方向の他方の側端の側端フランジプレート５７に溶接固着された他方の下梁側ガセットプレート７２と、横方向の一方の最縁部に位置した箱体８の狭幅側壁、本例では狭幅側壁１５に溶接固着された一方の箱体側ガセットプレート７３と、横方向の他方の最縁部に位置した箱体８の狭幅側壁、本例では狭幅側壁１６に溶接固着された他方の箱体側ガセットプレート７４と、下梁側ガセットプレート７１と箱体側ガセットプレート７３とをその両側面から挟持した一対の一方の側部スプライスプレート７５と、下梁側ガセットプレート７２と箱体側ガセットプレート７４とをその両側面から挟持した一対の他方の側部スプライスプレート７７と、下梁側ガセットプレート７１、箱体側ガセットプレート７３及び側部スプライスプレート７５を共締めした複数個の一方の高力ボルト７９と、下梁側ガセットプレート７２、箱体側ガセットプレート７４及び側部スプライスプレート７７を共締めした複数個の他方の高力ボルト８０と、箱体８の底壁板２１と下支持手段４の上端フランジプレート２５とを共締めした複数個の高力ボルト８１とを具備している。
【００５０】
下梁側ガセットプレート７１と箱体側ガセットプレート７３とは夫々、その互いに対面する上部及び下部縁部９１及び９２に、箱体８の底壁板２１と下支持手段４の上端フランジプレート２５との重ね合わせ面９３近傍に空間９４を形成すべく、切欠き９５を具備しており、同じく、下梁側ガセットプレート７２と箱体側ガセットプレート７４とは夫々、その互いに対面する上部及び下部縁部９６及び９７に、箱体８の底壁板２１と下支持手段４の上端フランジプレート２５との重ね合わせ面９３近傍に空間９８を形成すべく、切欠き９９を具備している。
【００５１】
下梁側ガセットプレート７１、７２及び箱体側ガセットプレート７３、７４において、高力ボルト７９及び８０が挿通されるその貫通孔は、当該ガセットプレート７１、７２、７３及び７４に対してこれに共締めされるスプライスプレート７５及び７７を位置決め調節できるように、高力ボルト７９及び８０に対して若干クリアランスをもった径を有して形成されている。このような貫通孔の形状としては、本例では、縦方向に伸びた長孔が好ましいが、必ずしもこれに限定されない。また、位置決め調節のために、高力ボルト７９及び８０に対して若干クリアランスをもった径を有した斯かる貫通孔を、ガセットプレート７１、７２、７３及び７４に穿孔する代わりに又はそれと共に、スプライスプレート７５及び７７に穿孔してもよいのは勿論である。
【００５２】
下部固定手段７においては、下梁側ガセットプレート７１と側部スプライスプレート７５とを、また箱体側ガセットプレート７３と側部スプライスプレート７５及び７６とを、夫々高力ボルト７９により二面摩擦接合させ、同じく、下梁側ガセットプレート７２と側部スプライスプレート７７とを、また箱体側ガセットプレート７４と側部スプライスプレート７７とを、夫々高力ボルト８０により二面摩擦接合させ、しかも、箱体８の横方向の両最縁部で当該箱体８を下支持手段４に固定しているために、高力ボルト７９、８０及び８１に加わる剪断力を低減でき、地震等に際する箱体８と抵抗板１１との間の相対的水平変位において、箱体８及び抵抗板１１に大きな水平力と曲げモーメントとが加わっても、それに基づく剪断力と引っ張り力とに十分耐えることができ、而して、高力ボルト７９、８０及び８１の個数を削減できる上に、ガセットプレート７１、７２、７３及び７４並びにスプライスプレート７５及び７７にそれほど厚肉の鋼板を用いる必要がなく、作業工数の大幅な低減及びコストダウンを図ることができる。
【００５３】
また下部固定手段７においては、下梁側ガセットプレート７１と箱体側ガセットプレート７３との夫々が切欠き９５を具備し、下梁側ガセットプレート７２と箱体側ガセットプレート７４との夫々が切欠き９９を具備しているために、底壁板２１及び上端フランジプレート２５の横方向外側への多少の突出を許容でき、また、支持手段４の上端フランジプレート２５への箱体８の載置後に、重ね合わせ面９３が多少横方向に突出しても、この突出を許容でき、更に、当該載置後に、切欠き９５及び切欠き９９によって形成される空間９４及び９８を利用して、重ね合わせ面９３に溶接を施すことができ、而して、底壁板２１と上端フランジプレート２５とを、高力ボルト８１に加えて、この溶接によっても相互にしっかりと固着できるようになる。
【００５４】
上部固定手段１０は、上支持手段５のフランジ部６３に溶接固着された上梁側ガセットプレート１１１と、上梁側ガセットプレート１１１と抵抗板本体３５の上部とをその両側面から挟持した三対の上部スプライスプレート１１２、１１３及び１１４と、上梁側ガセットプレート１１１及び上部スプライスプレート１１２、１１３及び１１４の夫々を共締めした夫々複数個の高力ボルト１１５、１１６及び１１７と、上梁側ガセットプレート１１１及びフランジ部６３の夫々に溶接固着された複数の補強リブ１１８と、上梁側ガセットプレート１１１の横方向の一端及びフランジ部６３に夫々溶接固着された一方の側端フランジプレート１２０と、上梁側ガセットプレート１１１の横方向の他端及びフランジ部６３に夫々溶接固着された他方の側端フランジプレート１２１とを具備している。
【００５５】
上部固定手段１０においては、上梁側ガセットプレート１１１と上部スプライスプレート１１２、１１３及び１１４とを、また、抵抗板本体３５の上部と上部スプライスプレート１１２、１１３及び１１４とを、夫々高力ボルト１１５、１１６及び１１７により二面摩擦接合させているために、高力ボルト１１５、１１６及び１１７に加わる剪断力を低減でき、高力ボルト１１５、１１６及び１１７の個数を低減できる。
【００５６】
なお上部固定手段１０において、上部スプライスプレート１１２、１１３及び１１４を用いることなしに、上梁側ガセットプレート１１１に抵抗板本体３５の上部を重ね合わせて、この重ね合わせ部に高力ボルト１１５、１１６及び１１７を適用して、一面摩擦接合させてもよい。
【００５７】
以上の制震壁１は、地震等の振動に際して、箱体８と抵抗板１１との間の相対的水平変位において箱体８内に収容された粘性体１２に粘性剪断を生じさせて、この粘性剪断による減衰力により地震等の振動を減衰させる。
【００５８】
上部固定手段１０は、下部固定手段７と同様に、図１２及び図１３に示すように、上梁側ガセットプレート１３１、１３２及び抵抗板側ガセットプレート１３３、１３４を、フランジ部６３及び側端フランジプレート１２０、１２１並びにフランジ片３６及び３７に夫々溶接固着し、上梁側ガセットプレート１３１、１３２及び抵抗板側ガセットプレート１３３、１３４をその両側面から挟持するようにして側部スプライスプレート１３５及び１３６を夫々配して、これらを夫々複数の高力ボルト１３７及び１３８により共締めするようにして構成されていてもよい。
【００５９】
また、上支持手段５を、図１４及び図１５に示すように、上大梁６２と、上大梁６２下に配された嵩下げ金物板１５１とを具備して構成してもよい。本例の嵩下げ金物板１５１は、上大梁６２の下部のフランジ部５６に溶接固着された嵩下げ金物板１５２と、嵩下げ金物板１５２の下縁に溶接固着された下端フランジプレート１５３と、嵩下げ金物板１５２の両側端に溶接固着された側端フランジプレート１５４及び１５５と、下端フランジプレート１５３、嵩下げ金物板１５２及びフランジ部５６に溶接固着された補強リブ１５６とを具備している。
【００６０】
図１４及び図１５に示す上支持手段５を用いる際には、抵抗板１１は、抵抗板本体３５の上縁に溶接固着されたフランジプレート１６１を具備して構成し、下端フランジプレート１５３とこれに重ね合わされたフランジプレート１６１とを複数の高力ボルト１６２により固着するように上部固定手段１０を構成してもよい。
【００６１】
更に図１２及び図１３又は図１４及び図１５に示す上部固定手段１０において、上梁側ガセットプレート１３１及び１３２並びに抵抗板側ガセットプレート１３３及び１３４とは夫々、下梁側ガセットプレート７１及び７２並びに箱体側ガセットプレート７３及び７４と同様に、その互いに対面する下部及び上部縁部に、空間１６５及び１６６を形成すべく、切欠き（図示せず）を具備してもよく、また、上梁側ガセットプレート１３１及び１３２及び抵抗板側ガセットプレート１３３及び１３４において、高力ボルト１３７及び１３８が挿通されるその貫通孔は、当該ガセットプレートに対してこれに共締めされるスプライスプレート１３５及び１３６を位置決め調節できるように、高力ボルト１３７及び１３８に対して若干クリアランスをもった径を有して形成されていてもよい。
【００６２】
上記では、柱２及び３間に箱体８、抵抗板１１及び粘性体１２の組み合わせ体４５を一組設けた例であるが、このような組を横方向に並置して複数個、例えば図１６に示すように三組設け、隣接する箱体８同士を、連結手段１７１により相互に連結して制震壁１を形成してもよい。
【００６３】
図１６に示す制震壁１における各連結手段１７１は、隣接する箱体８の対面する狭幅側壁板１５及び１６に夫々固着された連結ガセットプレート１７２及び１７３と、連結ガセットプレート１７２及び１７３をその両側面から挟持した一対の連結スプライスプレート１７４と、これら連結ガセットプレート１７２及び１７３並びに連結スプライスプレート１７４を共締めした複数個の高力ボルト１７６とを具備している。
【００６４】
連結ガセットプレート１７２及び１７３においてもまた、高力ボルト１７６が挿通されるその貫通孔が、当該連結ガセットプレート１７２及び１７３に対してこれに共締めされる連結スプライスプレート１７４を位置決め調節できるように、高力ボルト１７６に対して若干クリアランスをもった径を有して形成されていてもよく、また、連結手段１７１は、隣接する箱体８間において少なくともその二個が縦方向に並置されて配されていてもよい。
【００６５】
図１６に示す制震壁１においては、各連結手段１７１の高力ボルト１７６のボルト締め作業を片面から行うことができ、連結作業が極めて簡単になる。
【００６６】
連結ガセットプレート１７２及び１７３としては、箱体側ガセットプレート７４及び７３をそのまま用いることができる。
【００６７】
上記では一枚の抵抗板本体３５を有した抵抗板１１の例であるが、図１７、図１８及び図１９に示すように、複数枚、本例では二枚の抵抗板本体２０１及び２０２を有した抵抗板１１でもよく、これらの例の場合、箱体８は、抵抗板本体２０１及び２０２の間に隙間もって配された幅広中間壁板２０３を更に具備して形成され、幅広中間壁板２０３は、幅広側壁板１７及び１８と同様に、狭幅側壁板１５及び１６を橋絡して、両側では当該狭幅側壁板１５及び１６に、下端では底壁板２１に夫々溶接固着されており、抵抗板本体２０１及び２０２と幅広中間壁板２０３との間の両隙間にも粘性体１２が充填されている。
【００６８】
図１７の例においては、抵抗板本体２０１及び２０２は、その上端部で上梁側ガセットプレート１１１を直接挟持するように配されて、高力ボルト１１６により当該上梁側ガセットプレート１１１に固着されており、図１８の例においては、抵抗板本体２０１及び２０２は、当該抵抗板本体２０１及び２０２の上端部の間にスペーサ２０４が配されて、上部スプライスプレート１１３により若干厚肉の上梁側ガセットプレート１１１と共に上端部で挟持されて高力ボルト１１６により当該上部スプライスプレート１１３に共締め固着されており、上梁側ガセットプレート１１１もまた、高力ボルト１１６により当該上部スプライスプレート１１３に共締め固着されており、図１９の例においては、抵抗板本体２０１及び２０２は、当該抵抗板本体２０１及び２０２の上端部の間にスペーサ２０４が配されて、上部スプライスプレート１１３により一対の上梁側ガセットプレート１１１と共に上端部で挟持されて高力ボルト１１６により当該上部スプライスプレート１１３に共締め固着されており、一対の上梁側ガセットプレート１１１もまた、当該一対の上梁側ガセットプレート１１１の下端部の間にスペーサ２０５が配されて、高力ボルト１１６により上部スプライスプレート１１３に共締め固着されている。
【００６９】
図１７、図１８及び図１９に示すように構成しても、上記と同様の効果を得ることができる上に、更に、地震等の振動に際し、箱体８と抵抗板１１との間の相対的水平変位での箱体８内に収容された粘性体１２の粘性剪断において、先の例と比較して更に大きな粘性剪断による減衰力を生じさせることができ、而して、地震等の振動を更に効果的に減衰させることができる。
【００７０】
【発明の効果】
本発明によれば、十分な耐力をもって箱体又は抵抗板を下梁又は上梁に固定でき、作業工数の低減とコストダウンを図り得、しかも、箱体及び抵抗板からなる組み合わせ体を下梁及び上梁間に複数個並設する際にも、これらのうちの隣接する箱体又は抵抗板を互いに相互に簡単に強固に連結できる制震壁を提供することができる。
【図面の簡単な説明】
【図１】本発明の好ましい実施の形態の一例を示す正面図である。
【図２】図１に示す例のＩＩ−ＩＩ及び（ＩＩ）−（ＩＩ）線断面図である。
【図３】図１に示す例の一部拡大正面図である。
【図４】図２の一部拡大図である。
【図５】図１に示す例のＶ−Ｖ線断面図である。
【図６】図５の上部一部拡大図である。
【図７】図５の下部一部拡大図である。
【図８】図１に示す例のＶＩＩＩ−ＶＩＩＩ線断面図である。
【図９】図１に示す例のＩＸ−ＩＸ線断面図である。
【図１０】図１に示す例の一部拡大正面図である。
【図１１】図１に示す例の箱体等の組み合わせ体の斜視図である。
【図１２】本発明の好ましい実施の形態の他の例の一部の正面図である。
【図１３】図１２に示す例のＸＩＩＩ−ＸＩＩＩ及び（ＸＩＩＩ）−（ＸＩＩＩ）線断面図である。
【図１４】本発明の好ましい実施の形態の更に他の例の一部の正面図である。
【図１５】図１４に示す例のＸＶ−ＸＶ線断面図である。
【図１６】本発明の好ましい実施の形態の更に他の例の正面図である。
【図１７】本発明の好ましい実施の形態の更に他の例の一部の断面図である。
【図１８】本発明の好ましい実施の形態の更に他の例の一部の断面図である。
【図１９】本発明の好ましい実施の形態の更に他の例の一部の断面図である。
【符号の説明】
１  制震壁
４  下支持手段
５  上支持手段
６  開口
７  下部固定手段
８  箱体
９  隙間
１０  上部固定手段
１１  抵抗板
１２  粘性体
１５、１６  狭幅側壁板
１７、１８  幅広側壁板
２１  底壁板
５６、５７  側端フランジプレート
７１、７２  下梁側ガセットプレート
７３、７４  箱体側ガセットプレート
７５、７６、７７、７８  側部スプライスプレート
８０、８１  高力ボルト
【図１】
0003941277.tif 000002
【図２】
0003941277.tif 000003
【図３】
0003941277.tif 000004
【図４】
0003941277.tif 000005
【図５】
0003941277.tif 000006
【図６】
0003941277.tif 000007
【図７】
0003941277.tif 000008
【図８】
0003941277.tif 000009
【図９】
0003941277.tif 000010
【図１０】
0003941277.tif 000011
【図１１】
0003941277.tif 000012
【図１２】
0003941277.tif 000013
【図１３】
0003941277.tif 000014
【図１４】
0003941277.tif 000015
【図１５】
0003941277.tif 000016
【図１６】
0003941277.tif 000017
【図１７】
0003941277.tif 000018
【図１８】
0003941277.tif 000019
【図１９】
0003941277.tif 000020